Podtech/llm-jp-corpus-v4-ja_patent huggingface dataset:
(57)【要約】【課題】従来清涼飲料缶の開口時プルトップの開口部分が半円もしくは直線状になっていて指がうまく入らず開けずらいので開けやすい方法にした。【解決手段】プルトップ図１−３で開けやすくする為に逆円形にしたプルトップと上ブタの間が狭いので段差をつけた。【選択図】図１
2005067731.tif 000002
【特許請求の範囲】
【請求項１】
プルトップ図１−３開けやすくする為に逆円型にした
【請求項２】
プルトップと上ブタと開けやすくする為逆円状部図１−３と直線状部図１−２に段差を付けた。
【発明の詳細な説明】
【発明の開示】
【発明が解決しようとする課題】
【０００１】プルトップの開口部分図１−３が半円もしくは直線状になっていて指がきれいに入らない
上ブタとプルトップのかんかくが狭くて指が深く入らない
【課題を解決するための手段】
【０００２】プルトップの開口部分、図１−のが半円もしくは直線になっていて指がうまく入らないので逆円形状にし上ブタとプルトップの間が狭いので図５（半円部）と図６の段差をつけた。
【図面の簡単な説明】
【０００３】
【図１】逆円形状のプルトップの取手
【図２】逆円形状の取手と直線状に段差を付けた。
【符号の説明】
【０００４】１本缶
２プルトップの直線部の取手
３逆円形状の取手
【図１】
2005067731.tif 000003
【図２】
2005067731.tif 000004
(57)【要約】【課題】ふたつのコップを重ね合わせ、その間にコーヒーや紅茶等のティーバッグを配置し、熱湯を注ぎコーヒーや紅茶等を抽出した後、不要になったティーバックを取り出すことなく飲料でき、かつ、断熱性に優れ、滑りにくくしたコップに関するものである。【解決手段】それぞれにねじ式の溝（５）を設けたコップ（１）とコップ（２）の間にティーバッグ（３）を置いて熱湯を注ぎ、コップ（１）とコップ（２）をねじ込み密着させることにより、ティーバッグを取り出さずに抽出されたコーヒーや紅茶等を飲料でき、かつ、断熱性に優れすべりにくくなるようにしたもの。【選択図】図２
2005067732.tif 000002
【特許請求の範囲】
【請求項１】
コップ（１）とコップ（２）の間にコーヒーや紅茶等のティーバッグ（３）を置き、コップ（２）の中に熱湯を注ぎ、その熱湯がコップ（２）の底面に開けられた穴（４）を通ってコップ（１）に移り、その後、コップ（１）とコップ（２）をそれぞれに設けられたねじ式の溝（５）を使ってねじ込め密着させることにより、ティーバッグ（３）を圧縮させ、それ以上中のコーヒーや紅茶等を抽出しないようにし、かつ、抽出されたコーヒーや紅茶等が逆流しないようにし、更に、間のティーバッグ（３）を取り出すことなく抽出されたコーヒーや紅茶等を飲料できるようにしたコップ。
【請求項２】
二重構造でコップ（１）の側面のねじ式の溝により、断熱性に優れ、かつ、滑りにくくなる請求項１コップ。
【請求項３】
コップ（１）の開口部（６）を、コップ（１）とコップ（２）の間に残ったコーヒーや紅茶等も飲料できるように、コップ（２）の開口部（７）より大きく高くした請求項１のコップ。
【請求項４】
コップ（１）とコップ（２）を密着させた時に、コーヒーや紅茶等がそれ以上抽出されにくくなるように、包装材の上部（９）を多重層にしたティーバッグ（３）。
【発明の詳細な説明】
【発明の詳細な説明】
【技術分野】
【０００１】（イ）この発明は、ふたつのコップを重ね合わせ、その間にコーヒーや紅茶等のティーバッグを配置し、熱湯を注ぎコーヒーや紅茶等を抽出した後、不要になったティーバックを取り出すことなく飲料できるようにしたコップに関するるものである。
（ロ）コップを重ね合わせることにより断熱性に優れ、かつ、コップの側面にねじ式の溝を設けることにより滑り止めの役割も有するコップである。
【背景技術】
【０００２】（イ）従来は、コーヒーや紅茶のティーバッグを使用した場合、コーヒーや紅茶等を抽出した後、不要となったティーバッグを取り出して捨てなければならなかった。
（ロ）コーヒー等の持ち帰り店では、紙コップを使用していた。
【発明が解決しようとする課題】
【０００３】これは、次のような欠点があった。
（イ）ティーバッグをコップ内に残しておくと、抽出しすぎて苦くなってしまうこと。
（ロ）そのため、ティーバッグをいちいち取り出して捨てないといけないこと。
（ハ）紙コップなどでは熱くて持てないことがあり、又、滑りやすいこと。
【課題を解決するための手段】
【０００４】（イ）コップ（１）とコップ（２）に、それぞれを密着してねじ込め、更に、熱湯により抽出されたコーヒーや紅茶等が逆流しないようにするためのねじ式の溝（５）を設ける。
（ロ）コップ（２）の内壁（８）は、スムーズに中のコーヒーや紅茶等を飲めるように平面にする。
（ハ）コップ（２）の底面に熱湯を注いだ時に、その熱湯がコップ（１）に流れ込むための穴（４）をティーバッグ（３）より小さく開ける。
（ニ）ティーバッグ（３）は、コップ（１）とコップ（２）をねじ込んで密着させた時に、内部のコーヒーや紅茶等ができるだけ抽出されないように、包装材の上部（９）を多重層にする。
（ニ）コップ（１）の開口部（６）は、コップ（１）とコップ（２）の間にに残ったコーヒーや紅茶等も飲料できるように、コップ（２）の開口部（７）より大きく高くする。
本発明は、以上のような構成からなるティーバッグで抽出したコーヒーや紅茶等をティーバッグを取り出さずに飲料でき、かつ、断熱性に優れ滑りにくいコップである。
【発明を実施するための最良の形態】
【０００５】以下、本発明の実施の形態について説明する。
（イ）コップ（１）の中にコーヒーや紅茶等のティーバッグ（３）を置き、その上からコップ（２）を重ね、ねじ式の溝（５）を使って中間の高さまでねじ込む。
（ロ）コップ（２）の中に熱湯を注ぎ、その熱湯がコップ（２）の底面に開けられた穴（４）を経由してコップ（１）に移り、コーヒーや紅茶等を抽出させた後、コップ（２）をねじ式の溝（５）を利用して回転させてコップ（１）に密着させる。
（ハ）コップ（２）の底面がティーバッグ（３）に圧着し、かつ、ティーバッグ（３）の包装材の上部（９）が多重層になっているためコーヒーや紅茶等をそれ以上抽出しないようにする。
（ニ）ねじ式の溝（５）は、コップ（１）とコップ（２）の密着後、抽出されたコーヒーや紅茶等の逆流を防ぐ。
（ホ）コップ（１）の開口部（６）は、コップ（１）とコップ（２）の間にに残ったコーヒーや紅茶等も飲料できるように、コップ（２）の開口部（７）より大きく高くしてある。
（ホ）これにより、ティーバッグ（３）を取り出さずに、又、コップ（１）とコップ（２）の間に残ったコーヒーもこぼすことなく、抽出されたコーヒーや紅茶等を飲料できるものであり、又、二重構造により断熱性に優れ、コップ（１）の側面のねじ式の溝により滑りにくくなるものである。
【発明の効果】
【０００６】（イ）ティーバッグを取り出して捨てなくても、苦味が増さずに抽出したコーヒーや紅茶が飲めるようになる。
（ロ）コップ（１）とコップ（２）の間に入ったコーヒーや紅茶もこぼさず飲める。
（ハ）断熱性に優れ滑りにくい。
【図面の簡単な説明】
【図１】  コップ（１）とコップ（２）とティーバッグ（３）の断面図である。
【図２】  ティーバッグ抽出後の断面図である。
【符号の説明】
１  コップ
２  コップ
３  ティーバッグ
４  穴
５  ねじ式の溝
６  開口部
７  開口部
８  内壁
９  包装材の上部
１０コーヒーや紅茶等
１１湯面
【図１】
2005067732.tif 000003
【図２】
2005067732.tif 000004
(57)【要約】【課題】手指の弱い婦女子でも蓋部材を簡単に開けられる容器を提供すること。【解決手段】容器１は、容器本体２と、蓋部材３と、蓋部材３に上方から着脱自在に被着される回転操作体４から成る。蓋部材３は円錐柱状であってテーパ状外面を有しており、このテーパ状外面に係合部としての溝部７が縦方向に形成されている。また回転操作体４は円錐柱状であってテーパ状内面を有しており、このテーパ状内面に係合部としての溝部８が縦方向に形成されている。回転操作体４は、蓋部材３に上方から着脱自在に被着される。回転操作体４を手指で把持し、これを回せば、蓋部材３を簡単にねじ部５から取りはずすことができる。【選択図】図２
2005067704.tif 000002
【特許請求の範囲】
【請求項１】
ねじ部が形成された開口部を有する容器本体と、このねじ部に螺着される蓋部材と、蓋部材に被着される回転操作体とから成り、蓋部材の外面と回転操作体の内面に互いに係合する係合部を形成したことを特徴とする容器。
【請求項２】
前記蓋部材がテーパ状外面を有し、また前記回転操作体がテーパ状内面を有し、このテーパ状外面とテーパ状内面に前記係合部を形成したことを特徴とする請求項１記載の容器。
【発明の詳細な説明】
【技術分野】
【０００１】
本発明は、清涼飲料やアルコール飲料などの容器に関するものである。
【背景技術】
【０００２】
清涼飲料やアルコール飲料などの容器の開口部にはねじ部が形成されており、このねじ部に蓋部材が着脱自在に螺着されている。
【０００３】
ところが、容器を購入し、飲料を飲むために蓋部材を手指で回して開けようとする場合、蓋部材はねじ部に強く螺着されているため、特に手指の弱い婦女子はこれを回して開けづらいものであった。
【発明の開示】
【発明が解決しようとする課題】
【０００４】
そこで本発明は、手指の弱い婦女子でも蓋部材を簡単に開けられる容器を提供することを目的とする。
【課題を解決するための手段】
【０００５】
本発明の容器は、ねじ部が形成された開口部を有する容器本体と、このねじ部に螺着される蓋部材と、蓋部材に被着される回転操作体とから成り、蓋部材の外面と回転操作体の内面に互いに係合する係合部を形成した。
【０００６】
また望ましくは、前記蓋部材がテーパ状外面を有し、また前記回転操作体がテーパ状内面を有し、このテーパ状外面とテーパ状内面に前記係合部を形成した。
【発明の効果】
【０００７】
本発明の容器によれば、蓋部材に被着した回転操作体を手指で回すことにより、蓋部材を簡単に開けることができる。
【発明を実施するための最良の形態】
【０００８】
以下、図面を参照して、本発明の実施の形態を説明する。図１は本発明の実施の形態１における容器の側面図、図２は同容器の断面図、図３は同回転操作体を被着した蓋部材の断面図（図２のＡ−Ａ断面図）である。
【０００９】
容器１は、容器本体２と、蓋部材３と、蓋部材３に上方から着脱自在に被着される回転操作体４から成っている。容器本体２の上端の開口部にはねじ部５が形成されている。蓋部材３の内面にはこのねじ部５に着脱自在に螺着されるねじ部６が形成されている。
【００１０】
蓋部材３は円錐柱状であってテーパ状外面を有しており、このテーパ状外面に係合部としての溝部７が縦方向に形成されている。また回転操作体４は円錐柱状であってテーパ状外面とテーパ状内面を有しており、テーパ状内面に係合部としての溝部８が縦方向に形成されている。
【００１１】
回転操作体４は、蓋部材３に上方から着脱自在に被着される（図１の矢印ａ）。図３に示すように、この被着状態において、溝部７と溝部８は互いに係合する。そこで図２に示すように、回転操作体４を手指で把持し、これを回せば、蓋部材３を簡単にねじ部５から取りはずすことができる。なお、回転操作体１４の表面には凹凸などの手指のすべり止め手段を施すことが望ましい。
【００１２】
図４は本発明の実施の形態２における容器の側面図、図５は同容器の断面図、図６は同回転操作体を被着した蓋部材の断面図（図５のＢ−Ｂ断面図）である。
【００１３】
容器１１は、容器本体１２、蓋部材１３、回転操作体１４から成っている。容器本体１２の構造は、上記容器本体２と同じである。
【００１４】
蓋部材１３は有蓋円筒状であって、その外面には縦方向の溝部１７が形成されている。蓋部材１３は、容器本体１２の上端の開口部のねじ部５にそのねじ部６が着脱自在に螺着される。また回転操作体１４も有蓋円筒状であって、その内面には縦方向の溝部１８が形成してある。
【００１５】
回転操作体１４は、蓋部材１３に上方から着脱自在に被着される（図４の矢印ａ）。この装着状態において、図６に示すように溝部１７と溝部１８は互いに係合する。そこで、図５に示すように回転操作体１４を手指で把持し、これを回せば、蓋部材１３を簡単に取りはずすことができる。
【産業上の利用可能性】
【００１６】
本発明の容器によれば、手指の弱い婦女子でも蓋部材を簡単に開けられる容器を提供できるものであり、特に清涼飲料やアルコール飲料の容器として有用である。
【図面の簡単な説明】
【００１７】
【図１】本発明の実施の形態１における容器の側面図
【図２】本発明の実施の形態１における容器の断面図
【図３】本発明の実施の形態１における回転操作体を被着した蓋部材の断面図
【図４】本発明の実施の形態２における容器の側面図
【図５】本発明の実施の形態２における容器の断面図
【図６】本発明の実施の形態２における回転操作体を被着した蓋部材の断面図
【符号の説明】
【００１８】
１，１１  容器
２，１２  容器本体
３，１３  蓋部材
４，１４  回転操作体
５，１５  ねじ部
７，８，１７，１８  溝部（係合部）
【図１】
2005067704.tif 000003
【図２】
2005067704.tif 000004
【図３】
2005067704.tif 000005
【図４】
2005067704.tif 000006
【図５】
2005067704.tif 000007
【図６】
2005067704.tif 000008
(57)【要約】【課題】従来の軽石は手で持って使うため、位置的に足の裏はこすりづらく、また力も必要だった。また軽石部分が直接見えると美観的によくない。【解決手段】本発明は床に設置して、立って軽石の反対側に体重をかけながら軽石部分で足の裏を軽石でこすれば良いため、楽な姿勢で力をかけずに軽石を使える。また裏面には多くの吸盤がついているためずれにくく、しかも収納法も軽石が見えないようにし、ひもつり式と吸盤による壁への吸着式の２種類の方法がとれる。【選択図】図１
2005279158.tif 000002
【特許請求の範囲】
【請求項１】
かかとが収まる程度に丸く浅いお椀状のくぼみを持つ軽石
【請求項２】
軽石の反対側の足で固定してずれないように使う軽石
【請求項３】
体重をかける部分に小さな突起があり足ツボを押す効果のある軽石
【請求項４】
軽石の裏面全体に吸盤がついてよりずれにくくなった軽石
【請求項５】
組み立て式で軽石部分が見えないようになった軽石。
【請求項６】
組み立てた時、外側全体についた吸盤によって滑らかな面にくっつけておける軽石。
【発明の詳細な説明】
【技術分野】
【０００１】
本発明は手を使わずにかかとをこすることができるように軽石を床に吸盤で固定したもの。
【背景技術】
【０００２】
従来の軽石は手で持って使わないといけず、腕が疲れやすかった。
【０００３】
【特許文献１】特開２０００−３３３８７４
【発明の開示】
【発明が解決しようとする課題】
【０００４】
従来の軽石は手で持って使っていたが、足の裏などは手が届きにくく、またこするのに力が必要だった。
本発明は足の裏がこすりやすく、さらに力のいらないものである。
【課題を解決するための手段】
【０００５】
そして本発明は床に吸盤で設置して利用できるものである。
【０００６】
上記の解決手段により、立ったままの姿勢で軽石の反対側に体の重みをかけてずれないようにし、反対側の足の裏を楽にこすることができる。
【発明の効果】
【０００７】
軽石の裏側には、吸盤がついていて、ずれないで足の裏をこすることができる。
【０００８】
上述したように楽な姿勢で力をかけず、足に裏をこすることができる。
【０００９】
以下、本発明の形態を図面によって説明する。
【００１０】
軽石の部分はかかとが磨きやすいように丸く浅いお椀型になっている。
【００１１】
軽石の下の部分が付く基盤は軽石以外にこする足の反対の足を乗せて、体重をかけられるスペースがある。
【００１２】
上記の体重をかける側は足がずれないよう、またツボ押し効果があるように突起が複数ついている。
【００１３】
本発明は体重をかける側、そしてそこに付随する側面で組み立てるようにして軽石部分を覆うことができ、外観も美しくなる。
【００１４】
体重をかける側、軽石の裏側とそこに付随する側面にも吸盤がついており、壁にくっつけて配置する事ができる。
【００１５】
本発明には紐がついておりフックなどにかけておくこともできる。
【００１６】
以下、構造と素材について説明する。
【００１７】
軽石は天然の物でも人工の物でも良い。
【００１８】
基盤は突起や吸盤をつけやすくするため、樹脂製がのぞましい。
【００１９】
吸盤は大きすぎると体重をかける位置によってはがれやすくなるので、適度に小さい方が良い。
【図面の簡単な説明】
【００２０】
【図１】上から見た図
【図２】組み立てた時の図
【符号の説明】
【００２１】
１  軽石
２  吸盤
３  吊り下げ用ひも
【図１】
2005279158.tif 000003
【図２】
2005279158.tif 000004
(57)【要約】【課題】囲碁などのゲームが終了したとき，白石と黒石をより分けやすいように，碁石を磁石ではなく磁石に吸引される材質とし，碁盤の天板を，磁力を伝える材質のものとし，天板の下に，昇降可能な永久磁石を配置した。磁石碁盤ではゲームが終了した際，白石と黒石がより分けにくい問題点があった。【解決手段】磁石碁盤の碁石を磁石ではなく，磁石に吸引される材質とし，碁盤の天板を，磁力を伝える材質とし，前記碁盤の天板の下に配置した永久磁石を，昇降可能とし，そのため，碁盤の側面に天板に対して斜めに切り込みを持たせたガイドを導入した。【選択図】  図１
2005279157.tif 000002
【特許請求の範囲】
【請求項１】
磁石に吸引される遊戯物体と，磁力を伝える盤の天板と，その下に設けられた昇降装置によって永久磁石が，盤の天板に接したり，あるいは十分離れたりすることによって，ゲームが終了した際に，永久磁石を盤の天板から離して下げ，遊戯物体に磁力が働かないようにし，遊戯物体が自由に動くことを可能とした遊戯盤
【請求項２】
磁石に吸引される碁石と，磁力を伝える碁盤の天板と，その下に設けられた昇降装置によって永久磁石が碁盤に接したり，あるいは十分離れたりすることによって，囲碁のゲームが終了した際に，永久磁石を碁盤の天板から離して下げ，碁石に磁力が働かなくなる様にし，碁石を取り易くした構成の磁石碁盤
【請求項３】
前記磁石碁盤において，前記永久磁石を，回転軸を中心にして支え，前記永久磁石から碁盤の上下方向の支えとなる取っ手を設け，前記取っ手を，碁盤の側面にできたガイドに沿って可動とし，ガイドを碁盤の天板に対して斜めに配置し，前記ガイドの両端に上支点，下支点を設け，前記磁石が前記上支点において天板に接し，下支点において前記磁石の磁力線が碁石を吸引しない距離まで下がっていることを特徴とした磁石碁盤
【発明の詳細な説明】
【技術分野】
【０００１】
この発明は磁石碁盤や磁石将棋盤などの分野に属する
【背景技術】
【０００２】
磁石碁盤や将棋盤は従来技術として存在するが，これを改良した技術は存在しない
【発明の開示】
【発明が解決しようとする課題】
【０００３】
例えば磁石碁盤を例にとって述べると，磁石碁盤は広く一般に使われているが，対局が終了して碁石を白石と黒石に，より分ける際に，碁盤に吸着して，手間がかかるという問題点があった。本発明はこの問題点を解決することにある。
【課題を解決するための手段】
【０００４】
上記問題点を解決するために，本願発明では，碁石を磁石ではなく，磁石に吸引される材質とし，碁盤の天板は磁力線を伝える材質とし，碁盤の天板の下に磁石を配置し，その磁石が碁盤の天板に対して接して碁石を天板に吸引させたり，あるいは，磁石が碁盤の天板に対して一定距離を離れて吸引力が碁石に及ばないようにしたりできるような構成になっている。
【発明の効果】
【０００５】
天板に磁石が接しているとき，従来の磁石碁盤と同じように，碁石が動かないという効果を持たせるとともに，天板から磁石が一定の距離だけ離れたとき，碁石が自由に動くので，終局後の，白石と黒石のより分けが容易にできるという顕著な効果を有する。
【発明を実施するための最良の形態】
【０００６】
本発明では磁石碁盤の碁石を磁石ではなく磁石に吸引される材質とし，碁盤の天板は磁力線を良く伝える材質とし，碁盤の天板の下に磁石を配置し，その磁石を碁盤の天板に接して碁石を吸引させたり，あるいは，碁石が碁盤の天板に対して一定距離を離れて，吸引力が碁石に及ばないようにしたりできるようになっている。このため，ゲーム中では，磁石を天板に接して碁石を吸引し，ゲームが終了すると，磁石を天板から離し，碁石が自由に動けるようになり，白石と，黒石がより分けられやすくなる。
【実施例１】
【０００７】
図１が本願発明の磁石碁盤における実施例である。以下図面に沿って説明する。図１中，１は磁石可動体の中心を支える支柱である。２は永久磁石である。例えば，アルニコ磁石，NｅＦｅＢ系の磁石が用いられる。３はガイド４にそって動く取っ手であり，４は３の取っ手を通じて永久磁石本体を可動させるガイドである。永久磁石２，および取っ手３は支持柱１に対して自由に回転可動および，上下可動になっていて４のガイドに沿って，永久磁石２を天板に接したり，天板から一定距離離したりできるようになっている。当然のことながら，ガイド４は碁盤の天板に対して斜めに溝を切っていて，上支点，下支点が存在する。
【実施例２】
【０００８】
図２は本願発明の磁石碁盤における変形実施例である。図中，１は磁石可動体の中心を支える支柱であり，２は，永久磁石，３はガイド４に沿って動く取っ手である。実施例１の機構を４つ配置した構成になっている。上面図の右下に示したが，内部にもガイドおよび取っ手が配置され，永久磁石可動体の安定性を良くしている。
【産業上の利用可能性】
【０００９】
本願発明は囲碁，将棋等の遊戯玩具の分野で，将棋の場合，ゲームが終了した地点で駒を回収しやすく，特に，囲碁で黒石と白石を，ゲームが終了した地点でより分けやすいという顕著な利用可能性を有する。
【図面の簡単な説明】
【００１０】
【図１】本願発明の実施例
【図２】本願発明の変形実施例
【符号の説明】
【００１１】
１． 支持柱
２． 永久磁石
３． 取っ手
４． ガイド
【図１】
2005279157.tif 000003
【図２】
2005279157.tif 000004
(57)【要約】      （修正有）【課題】型枠工事の釘打ち補助具曲げ打ちに関する。【解決手段】打ち込み棒の先端に釘を取り付け，鉄筋の間からスリーブの打ち込み位置に狙いを定めた後，補助具に取り付けたワイヤ−１を足で鉄筋に押さえつけて補助具を固定し，頭部を金槌で打撃する。頭部は外筒の内部を滑り曲部のスプリングから釘に力を伝えて打ち込むことが出来る。補助具の頭部が鉄筋の上にあるため金槌を力一杯打撃できる。また、鉄筋の間に手を入れる必要が無いため釘打ち作業を短時間で安全に行うことが出来る。【選択図】図２
2005279910.tif 000002
【特許請求の範囲】
【請求項１】
釘打ち補助具の外筒の曲がり部を固定するワイヤーを取り付けた釘打ち補助具
【発明の詳細な説明】
【産業上の利用分野】
【０００１】  この発明は型枠工事における釘打ちの補助具に関するものである。
【背景技術】
【０００２】従来の型枠工事のスリーブ取り付け作業におけるスリーブ取り付けはスリーブを固定するため鉄筋の間に手を入れ金槌を使用してスリーブに釘を打込んでいたが鉄筋の間が非常に狭く金槌を振る余裕も無いため少しづつ釘を打込みスリーブを固定していた。
スリーブを固定するため鉄筋の間に無理の手を入れたり金槌を振り金槌で手を叩くなど怪我をすることが多く非常に危険な作業を強いられている。
従来の釘打ち補助具では直線的に狭いところを釘打ちするものはあるがスリーブを固定するためには横から釘を打たなくてはならず、先を曲げただけの補助具では金槌で打つと金槌で打った方向に補助具が逃げるだけで釘を打込むことはできないため、斜めに釘を打込んでいるが狭い場所での作業になり非常に危険である。
【発明が解決しようとしている課題点】
【０００３】本案は従来の釘打ち補助具の欠点を除いて、しかもすばやく安全にスリーブを取り付けることができる釘打ち補助具を開発しようとするものである。
【課題を解決するための手段】
【０００４】本発明は金槌で上から打込んだ力が曲げてある補助具を通して横方向の釘に直接打込む力となるように、曲げた外筒を金槌を打った力で補助具が動かないように型枠又は鉄筋に補助具を固定するために補助具にワイヤー等を取り付ける
【作用】
【０００５】  通常釘を打つときは金槌で釘頭を打つが手の届かないところは外筒をガイドとし内筒で釘頭に金槌の力を伝え釘を打つが、補助具を曲げた場合は金槌の力は直線的に伝わるだけで横方向に打ち込む力は伝わらない、そのため釘は打ち込まれずに型枠の表面を滑るだけとなる。
本発明の補助具は曲げた外筒の曲がり部分に摺動するためのスプリングを用い内筒の力を釘に伝えるように補助具の曲部にワイヤーを取り付けワイヤーを型枠又は鉄筋に足で踏みつけて曲部を固定することで補助具を金槌で打っても補助具が動かないため上から金槌で打ち込み釘を横方向に打つことができる。
以下、本発明の釘打ち補助具曲げ打ちについて第一の実施例を図２に基づいて説明する。
本発明の釘うち補助具曲げ打ちの先端に釘を取り付けを鉄筋の間からスリーブの適当なところに狙いを定めた後、補助具に取り付けたワイヤーを足で鉄筋に押さえつけて補助具が動かないように固定して補助具の頭部を金槌で打つ。
金槌で打たれた頭部は外筒内部を滑り曲部のスプリングから釘に力を伝えて釘を型枠に打ち込むことができる。
補助具の頭部は鉄筋の上にあるため狭いところで金槌を振る必要も無く回りを気にせず金槌を力一杯振ることができる、また鉄筋の間に手を入れる必要も無いためスリーブの釘打ち作業を短時間で安全に行うことができる。
【発明の効果】
【０００７】したがって、本発明の釘打ち補助具曲げうちは狭い鉄筋の間に手を入れる必要も無く、金槌を自由に振ることができるため、型枠工事のスリーブ取り付け作業を安全にしかも短時間に行うことができる。
【図面の簡単な説明】
【図１】本発明の釘打ち補助具曲げ打ちの断面図
【図２】本発明の釘打ち補助具曲げうちを使用した断面図
【図３】本発明の釘打ち補助具曲げ打ちの固定用ワイヤーの先端を鉤状の固定具を取り付けた断面図
【図４】本発明の釘打ち補助具曲げ打ち曲部の角度を調整できる様にした曲げ打ちの側面図
【符号の説明】
１はワイヤー
２は頭部
３は外筒
４は打ち込み棒
５はスプリング
６は釘
７はワイヤー取付ピース
８は曲げ打ち
９は金槌
１０は鉄筋
１１は型枠
１２はスリーブ
１３は釘
１４は足
１５は鉤
１６は角度調整用ボルトナット
【図１】
2005279910.tif 000003
【図２】
2005279910.tif 000004
【図３】
2005279910.tif 000005
【図４】
2005279910.tif 000006
(57)【要約】【課題】有機性排水由来の汚泥を削減する処理設備に使用される汚泥処理装置において、容易にまた効率良くバチルス・ズブチルス以外の微生物群を選択的に再基質化させる物理的手段の適切な運転条件を制御することにより汚泥の削減ができる汚泥処理装置を提供する。【解決手段】有機性排水由来の汚泥を削減する設備において、物理的手段を具備した容器が、外筒１、内筒２、超音波装置３及び重量計４から構成され、超音波装置３の超音波の照射を用いてバチルス・ズブチルス以外の微生物群を選択的に再基質化させ、また、重量計を用いて超音波照射条件を制御することにより、容易にまた効率良くバチルス・ズブチルス以外の前記微生物群を選択的に再基質化させ、再基質化物質を後段の生物処理槽内に存在する微生物群の栄養源とする汚泥処理装置。【選択図】図１
2005279391.tif 000002
【特許請求の範囲】
【請求項１】
有機性排水由来の汚泥を削減する処理設備において、流入調整槽の後段に前記汚泥を削減して前記汚泥中の微生物群を再基質化させる物理的手段を具備した容器と、前記容器内の前記汚泥の量を測定する測定手段から構成され、前記物理的手段の運転条件を前記測定により制御することによりバチルス・ズブチルス以外の前記微生物群を選択的に再基質化させることができる汚泥削減装置。
【請求項２】
前記容器内の前記汚泥の量を測定する測定手段は、重量計からなることを特徴とする請求項1記載の汚泥削減装置。
【請求項３】
前記バチルス・ズブチルス以外の微生物群を選択的に再基質化させるための、前記容器内の物理的手段は超音波装置であって、前記超音波装置の照射時間は前記容器内の測定手段により前記汚泥の重量により決定され、前記超音波装置の照射方法は、前記容器の底部より照射することを特徴とする請求項１または請求項２記載の汚泥削減装置。
【請求項４】
前記容器の形状がスリーブ状の内筒と外筒を有し、前記内筒の上部と外筒は擦り鉢形状であり、前記内筒の下部は円筒状に、流入する前記汚泥が前記内筒に流入し、前記内筒と外筒を循環することを特徴とする請求項１記載の汚泥削減装置。
【発明の詳細な説明】
【技術分野】
【０００１】
本発明は、有機性排水由来の汚泥を削減する設備に使用される汚泥処理装置に関するものである。
【背景技術】
【０００２】
従来、この種の汚泥処理装置は、運転条件を汚泥量または汚泥濃度及び接触時間などで制御しているが装置が複雑で設備にかかるイニシャルコストが莫大である。（例えば、特許文献１参照）
【特許文献１】特開２００２−８９０５号公報
【発明の開示】
【発明が解決しようとする課題】
【０００３】
このような従来の汚泥処理装置では、汚泥濃度が日々変化する為、バチルス・ズブチルス以外の前記微生物群を選択的に再基質化させる適切な運転条件を制御することが出来ないという課題がある。
【０００４】
また、分析による汚泥濃度の測定では時間がかかりすぎ、即時に適切な運転時間を制御することが出来ない事や汚泥濃度を測定する測定機器としてＭＬＳＳ計や濁度計などがあるが、有機性排水汚泥中には毛髪および繊維質などが多く含まれており計器に絡まり誤測定が起こる及び頻繁に洗浄を行わなければならないなどの課題があり、容易に効率良く汚泥濃度を把握し適切に運転条件を制御できることが要求されている。
【０００５】
本発明は、このような問題を解決するものであり、連続的に汚泥濃度を測定することができ、即時に適切な運転条件を制御することにより、バチルス・ズブチルス以外の前記微生物群を選択的に再基質化させることのできる有機性排水由来の汚泥を削減する設備に使用される汚泥処理装置を提供することを目的としている。
【課題を解決するための手段】
【０００６】
本発明の汚泥処理装置は上記目的を達成するために、汚泥中のバチルス・ズブチルス以外の微生物群を再基質化させる物理的手段を具備した容器に汚泥の量を測定する測定手段として重量計を設置したものである。
【０００７】
この手段により計測機器に汚泥中の毛髪及び繊維質による誤計測を起こすことなく、また、即時に適切な運転条件を制御し、汚泥中のバチルス・ズブチルス以外の微生物群を再基質化させることができる有機性排水由来の汚泥を削減する設備に使用される汚泥処理装置が得られる。
【発明の効果】
【０００８】
本発明によれば計測機器の誤計測を起こすことなく、また、即時に適切な運転条件を制御することによって汚泥中のバチルス・ズブチルス以外の微生物群を再基質化させる効果のある有機性排水由来の汚泥を削減する設備に使用される汚泥処理装置が得られる。
【発明を実施するための最良の形態】
【０００９】
本発明の請求項１記載の発明は、有機性排水由来の汚泥を削減する処理設備において、流入調整槽の後段に前記汚泥を削減して前記汚泥中の微生物群を再基質化させる物理的手段を具備した容器と、前記容器内の前記汚泥の量を測定する測定手段から構成され、前記物理的手段の運転条件を前記測定により制御することによりバチルス・ズブチルス以外の前記微生物群を選択的に再基質化させることができる汚泥削減装置としたものであり、汚泥の重量を測定し、運転条件を制御することによってバチルス・ズブチルス以外の前記微生物群を選択的に再基質化させることができるという作用を有する。
【００１０】
また、前記容器内の前記汚泥の重量を測定する測定手段に重量計を設置したものであり、汚泥中の毛髪及び繊維質などに邪魔されることなく汚泥濃度を測定することができる。
【００１１】
以下、本発明の実施の形態について図面を参照しながら説明する。
【００１２】
（実施の形態１）
図１に示すように、流入汚泥５は内筒２上部より流入させ、外筒１の底部に設けられたバチルス・ズブチルス以外の前記微生物群を選択的に再基質化させる物理的手段である超音波装置３よって超音波を照射される。ここで、内筒はスリーブ状をしており、上部はすり鉢状、下部は円筒状となっている。
【００１３】
また、照射される超音波は直進性を示すので内筒２下部を円筒状にすることにより均一に効率良く超音波を照射することができる。
【００１４】
超音波照射条件は、接触時間、出力及び汚泥濃度によって決定され、バチルス菌を死滅させないためには、（接触時間）×（出力）/（汚泥濃度）の値を０．０１〜５．００の範囲で調節するのよい。より、好ましくは０．２５〜２．００の範囲である。
【００１５】
また、外筒１の側面に設置された重量計４により重量を測定することにより、（重量）×（容積）より汚泥濃度を計算し、流入汚泥５の流入量を制御することによって接触時間を変化させることができ即時に適切な超音波照射条件にすることができる。
【００１６】
超音波を照射された流入汚泥５は内筒２下部より外筒１を通り上昇し、再び内筒内へ流入する循環汚泥６とバチルス・ズブチルス以外の微生物群を選択的に再基質化させた再基質化汚泥７とに分けられ、再基質化汚泥７は微生物群の栄養源として後段の生物処理槽へ返送される。
【産業上の利用可能性】
【００１７】
本発明は、有機性排水由来の汚泥を削減する設備に使用される汚泥処理装置に適用できる。
【図面の簡単な説明】
【００１８】
【図１】本発明の実施の形態を示すフロー図
【符号の説明】
【００１９】
１    外筒
２    内筒
３    超音波装置
４    重量計
５    流入汚泥
６    循環汚泥
７    再基質化汚泥
【図１】
2005279391.tif 000003
(57)【要約】      （修正有）【課題】掃除器や、他の掃除用具では手におえない、ごく狭いすき間の掃除をする掃除棒の提供。【解決手段】柄１１のついた本体１０に穴１、２、７、８、９をあけ、へりに凹凸５、６を設けセンターの穴やへりの凹凸を利用して細布を巻き付け、ごく狭いすき間の汚れを取り除く、すきま掃除棒。【効果】中央の穴がいくつもあるので、リサイクルの細布も利用でき、使い易く限られた資源を有効に利用出来る。へりの凹凸により、巻き付けたものが動かぬよう固定されるので強くこすりつけることができ、汚れも落ちやすい。掃除後は巻き付けたものを取り除けばよいので、後始末が簡単である。【選択図】図１
2005279214.tif 000002
【特許請求の範囲】
【請求項１】
本体に穴をあけ、へりに凹凸を設け、細布を巻き付け、効率よく掃除する為の掃除棒。
尚、センターの穴は、必ずしも丸でなくても良い。へりの凹凸の形も、どんな形状でも良い。
【発明の詳細な説明】
【技術分野】
【０００１】  本発明は、掃除器や、他の掃除用具では、手におえない、ごく狭いすき間の掃除をする、掃除棒に関するものである。
【背景技術】
【０００２】  昨今、掃除用品が、多種多様出回り、目を見張るばかりである。しかし、ごく狭いすき間の掃除をするものは、皆無である。
針金ハンガーに、ストッキングをかぶせたり、細い棒にストッキングを巻き付けたりして、何とかしのいでいた。
【発明の開示】
【発明が解決しようとする課題】
【０００３】  そのために、次のような、問題点があった。
一応、掃除をしたつもりでも力のいれ具合が足りない、また、丁度いい手頃な棒などあるはずもない。
本発明は、以上の問題点を、解決しようとするものである。
【課題を解決するための手段】
【０００４】  洗濯機、冷蔵庫、家具等のすき間や、電子レンジの下などの、すき間を考慮した長さの油絵を描く時に使うパレットナイフのような形状で、出来るだけ薄く、少ししなる、柄のついた棒である。
棒のセンターに、等間隔に穴をあけ、へりの部分は等間隔に凹凸を設け、細布（はき古しのストッキング、細く切り裂いたぼろ布、専用ペーパー）を巻き付けやすくし、効率よく、汚れを落とす。
以上を特徴とする、すきま掃除棒である。
【発明の効果】
【０００５】  細布を巻き付けることによる出来るヒダが、汚れを拭き取るのに、非常に都合がよい。
また、細布の端の処理も、中央の穴がいくつもあることにより、必ずしも一本の布でなくてもよく、リサイクルの細布も利用でき、使い易く、限られた資源を有効に利用出来る。また、ストッキングをかぶせても良く、その場合は、巻き付けるよりも、もっと狭いすき間の掃除に適している。
次は、へりの凹凸についてであるが、巻き付けたものが動かぬよう固定され、強くこすりつけても大丈夫である。また、へりで掃除をする時、凹凸により汚れが落ちやすい。
その為、すきま掃除棒の先端部分に穴を開ける事により、細布を固定し、先端全体から細布を巻き付ける事が出来る。細布は濡らしたり、洗剤をつけたり、掃除後は、巻き付けたもを取り除き捨てれば良く、後始末も簡単である。中央の穴は末端の細布を固定するのに利用出来る。
【発明を実施するための最良の形態】
【０００６】  以下、本発明の実施の形態を説明する。
（イ）  （１）（２）の穴に細布を挿入し（３）の部分が飛び出さぬよう、細布をかぶせ（４）まできたら、ぐるぐると巻き付けて、時々（５）や（６）のへこみの所を通って細布がとぎれたところで、巻くのを止め、中央の穴、例えば、（７）の様な所に差し込む、また続行したい場合は、別の細布を（８）の様な所から、同じ様に始める、ぐるぐる巻き付け（９）で終われば良い。
（ロ）  ストッキング等を本体（１０）に被せることも出来る。
（ハ）  柄（１１）を持って、汚れ部分にこすりつければ良い、平面部分、先端部分の使用可能である。
（ニ）  使用後は、細布をほどき捨てれば良い。
また、狭いすき間を掃除する為に考案したものではあるが、本体を変形させると、違う用途の掃除棒が出来るのである。
その参考例として〔図２〕、〔図３〕をあげておきます。いずれも本体の先の部分に穴をあけ、細布をぐるぐる巻きつけることを特徴としております。
尚、センターの穴は、必ずしも丸でなくても良い。へりの凹凸は、どんな形状でも良い。
【図面の簡単な説明】
【０００７】
【図１】  本発明の斜視図と側面図
【図２】  本発明の変形斜視図と側面図
【図３】  本発明の変形斜視図と側面図
【図４】  本発明に巻き付ける順序  ▲１▼→▲５▼の順
【図５】  本発明に巻き付ける細布素材一覧  ▲１▼はき古しパンティストッキング  ▲２▼細く切り裂いたボロ布  ▲３▼専用ペーパー
【符号の説明】
【０００８】  １  細布の先端を挿入する穴
２  細布の先端を挿入する穴
３  本体の先端部分
４  細布が向きを変える
５  へりの凹凸
６  へりの凹凸
７  センターの穴
８  センターの穴
９  センターの穴
１０  本体
１１  柄
【図１】
2005279214.tif 000003
【図２】
2005279214.tif 000004
【図３】
2005279214.tif 000005
【図４】
2005279214.tif 000006
【図５】
2005279214.tif 000007
【手続補正書】
【提出日】平成17年4月28日(2005.4.28)
【手続補正１】
【補正対象書類名】特許請求の範囲
【補正対象項目名】全文
【補正方法】変更
【補正の内容】
【特許請求の範囲】
【請求項１】
本体に穴をあけ、へりに凹凸を設け、細布を巻き付け、効率よく掃除する為の掃除棒。
(57)【要約】【課題】  生後２，３年等の幼児の頭部を洗う際、親等が抱きかかえ左右どちらかの手の平に頭部を乗せ、おさえその手の親指と中指で左右の耳を倒し水、洗剤等の侵入を防いで洗っていた。しかし幼児は成長し頭部も大きくなる。又、手の小さな親もいる。この為、簡単に指と指のリーチを伸ばし耳に進入する水や洗剤を防止する支持具を提供したい。【解決手段】  親指、中指もしくは両指に硬めで人間の指の感覚に近いゴム製等の素材で扇形状等の指サックを指にはめ片手の指と指のリーチを伸ばした。【選択図】    図１
2005279215.tif 000002
【特許請求の範囲】
【請求項１】
幼児の洗髪の際、中指もしくは親指に装着し水、洗剤が耳に入らないようにカバーできるゴム製等の支持具。
【発明の詳細な説明】
【発明の詳細な説明】
【０００１】  本発明は、幼児の洗髪等に措いて中指もしくは親指に装着し耳に入る洗剤、水をカバーできる発明である。
【技術分野】
【０００２】  本発明は、Ａ４５Ｄ１９／００に属する発明である。
【背景技術】
【０００３】  従来、生後２，３年等の幼児の頭部を洗う際に使用できるものはシャワーキャップしかなく生後２，３年等の幼児の頭部を洗う為には適したものが無かった。
【発明が解決しようとする課題】
【０００４】  生後２，３年等の幼児の頭部を洗う際、親等が抱きかかえ左右どちらかの手の平に頭部をのせ、おさえその手の親指と中指で左右の耳を倒し  水、洗剤等の進入を防いで洗っていた。しかし幼児は成長し頭部も大きくなる為、片手の両指では耳に届かなくなり耳に侵入する洗剤、水を防ぐ事が困難になってくる。その為、成長し大きくなった幼児の頭部の両耳を片手の両指で簡単におさえれる支持具を提供したい。
【課題を解決するための手段】
【０００５】課題を解決するため、親指、中指もしくは両指に硬めで人間の指の感触に近いゴム製等の素材で扇形状等の指サックを指にはめ片手の指と指のリーチを伸ばした。この効果で大きく成長した頭部や手の小さな親でも耳に侵入する水や洗剤の防止に大きく貢献した。
【発明を実施するための最良の形態】
【０００６】  本発明の指サックのサイズであるが、成長の度合い、使用者の手や指のサイズで変わる為、数種類考えられる。又、幼児の両耳もしくは肩耳を抑える為、抗菌性のゴム製で少し固めのものが適していた。又、本発明の使用時、耳に水が入らないような位置、指方面に耳を圧迫しない様に空気穴や溝を設けてあげると幼児の耳に対して優しく、効果を発揮した。又本発明は、指サックである為、玩具感覚でも楽しめる。この事でアニメ等のキャラクターや絵を描くことでお風呂等で幼児をあやす玩具としても貢献できた。
【発明の効果】
本発明の効果で、幼児の頭部を洗う際、手の小さな親でも頭部の成長した幼児でも片手の指と指の間のリーチを伸ばせ  片手の両指で簡単に両耳を抑える事が出来、耳に侵入する水、洗剤を防止することに貢献した。又、アニメ等のキャラクター等を本発明品に描くことで幼児をあやす玩具としても大きく貢献した。
【図面の簡単な説明】
【図１】  本発明に指を入れ装着した状態の正面断面図である。
【図２】  本発明に指を入れ装着した状態の側面断面図である。
【図３】  本発明の斜面図である。
【図４】  本発明の後方側面図である。
【符号の説明】
１は本発明の扇形状のカバーである。
２は本発明に指を入れる為の穴である。
３は指である。
４は本発明で耳を密閉させない為の波型の溝である。
【図１】
2005279215.tif 000003
【図２】
2005279215.tif 000004
【図３】
2005279215.tif 000005
【図４】
2005279215.tif 000006
(57)【要約】【課題】  楽な姿勢で、しかも片手で操作でき、汚水が衣服を汚すことのないように工夫された、風呂水の汚れを手動ポンプで吸い取って除去する器具を提供する。【解決手段】  楽な姿勢で扱えるように、可能な限り吸い込みパイプを長くし、また、汚水が思わぬ方向にはねないように、排水パイプの先に重りをつけることを特徴とする、風呂水の汚れ吸い取り器。【選択図】  図１
2005279213.tif 000002
【特許請求の範囲】
【請求項１】
（イ）吸い込みパイプを長くし、湾曲させて、少しでも楽な姿勢で、風呂水を吸い込みやすくした。
（ロ）排水パイプの先の部分に、重りをつけ、汚水が思いもよらぬ方向に飛び散らないようにした。
【発明の詳細な説明】
【技術分野】
【０００１】  本発明は、風呂水の表面の汚れや、底に沈む髪の毛のみならず、どろりとした濁ったものをポンプで吸い取る器具に関するものである。
【背景技術】
【０００２】  従来、入浴した後の汚れは、金魚すくいに似た器具で除去していた。
それでもよいのであるが、石油を汲み上げる時のポンプを使うと、底に沈んだどろりとしたものを一気に吸い上げてくれ、沸かし直しとは思えないほどきれいな湯に生まれ変わってしまう。また、薬草湯の場合、一度入っただけでは、もったいないので、そんな時も、下の濁った部分だけを取り除きたくなる。
【発明の開示】
【発明が解決しようとする課題】
【０００３】  しかし、所詮代用品にすぎない。
排水口をしっかり持ち、右手はポンプを強く握ったり、ゆるめたり、必死である。
だいいち、床はすべりやすいので、バランスをくずしたりして危険である。
【課題を解決するための手段】
【０００４】  姿勢が不自然にならぬよう吸い込みパイプを長くし、また湾曲させるとともに、排水する方を重くし、吸い込んだ水が思いも寄らぬ方向に飛び散らぬように工夫した、風呂水汚れ吸い取り器である。
【発明の効果】
【０００５】  本発明は風呂水の汚れを片手で、楽々吸い取ることができる、その際衣服を汚すことがない。最後に汚いカスは、残留しない。前述した金魚すくいに似た器具は、汚れが残留するので、それを洗浄する手間がかかる。
【発明を実施するための最良の形態】
【０００６】  以下、本発明の実施の形態を説明する。
（イ）  弁（５）  を内蔵した主軸（１）  にポンプ（２）  吸い込みパイプ（３）  排水パイプ（４）  を取り付ける。
（ロ）  排水パイプ（４）  に、おもり（５）  を取り付ける
本発明は以上の構成より成り立っている。
本発明を使用するときは、上記の吸い込みパイプ（３）  を浴槽の中に入れ、手でポンプ（２）  の空気を押し出し、ゆるめた時に、水が吸い込みパイプ（３）  に入ってくる。同じ動作を繰り返すと２度目に水が主軸（１）  の弁を押し上げ、排水パイプ（４）の方にでようとする。３度目に勢いよく、ジャーっと流れ出てくるので、その勢いを利用して、浴槽の中の汚れを吸い上げるのである。
水の勢いが強いので排水パイプ（４）  が思わぬ方向にピッチャとはねるといけないのでおもり（５）をつけ安定させる。
何度もポンプを握ったり、ゆるめたりして、汚水を除去する。
【図面の簡単な説明】
【０００７】
【図１】  本発明の斜視図
【図２】  本発明の分解斜視図
【符号の説明】
【０００８】    １  主軸
２  ポンプ
３  吸い込みパイプ
４  排水パイプ
５  弁
【図１】
2005279213.tif 000003
【図２】
2005279213.tif 000004
(57)【要約】【課題】入浴の際、身体を隠すために着用しても、お湯を汚さず、入浴中及び湯上り時に身体に密着するという不快感を軽減し、湯上り時に水切れも良い入浴時着用タオルを提供する。【解決手段】非吸水性繊維布を使用することにより、着用して入浴してもお湯を汚さず、入浴中及び湯上り時に身体に密着するという不快感を軽減し、湯上り時に水切れも良いものとし、摩擦係数の高い繊維布の滑り止め部（２）を表裏両面に縫い付けることにより、脱落しにくくする。さらに、着用の方法が身体に巻きつけるという単純な方法であるために着脱も容易である。【選択図】図１
2005279216.tif 000002
【特許請求の範囲】
【請求項１】
横１４０ｃｍ〜１６０ｃｍ、縦５５〜８０ｃｍ程度の非吸水性繊維布本体（１）の長辺上部に、摩擦係数の高い繊維布の滑り止め部（２）を２ｃｍ〜５ｃｍ幅で表裏両面に縫い付けたことを特徴とする入浴時着用タオル。
【発明の詳細な説明】
【技術分野】
【０００１】  本発明は、入浴の際、身体を隠すために着用しても、非吸水性繊維布を使用することにより繊維が抜け落ちないためにお湯を汚さず、入浴中及び湯上り時に身体に密着するという不快感を軽減し、湯上り時に水切れも良い。また、摩擦係数の高い繊維布である滑り止め部を長辺上部の表裏両面に縫い付けることにより、脱落しにくくしたものである。
【背景技術】
【０００２】  従来は、非吸水性繊維布に摩擦係数の高い繊維布を縫い合わせた入浴用タオルはなかった。【０００３】
【特許文献１】    特開２０００−１３９７６２
【発明の開示】
【発明が解決しようとする課題】
【０００４】  身体を隠すために通常のバスタオルを巻きつけて入浴すると、繊維が抜け落ちるなどしてお湯を汚し、また、入浴中及び湯上り時にバスタオルが身体に密着するために不快感を与えるという難点があった。また、非吸水性繊維布のみでは、着用時、脱落しやすいという難点があった。本発明は、この課題を解決するためになされたものである。
【課題を解決するための手段】
【０００５】  非吸水性繊維布本体（１）を使用することにより、入浴の際、身体を隠すために着用しても、繊維が抜け落ちないためにお湯を汚さず、入浴中及び湯上り時に身体に密着するという不快感を軽減し、湯上り時に水切れも良くなる。
また、非吸水性繊維布本体（１）のみでは、着用時、脱落しやすいために、摩擦係数の高い繊維布である滑り止め部（２）を本体長辺上部の表裏両面に縫い付けることにより、脱落しにくくしたものである。
【発明の効果】
【０００６】  入浴の際、身体を隠すために着用しても、非吸水性繊維布本体（１）を使用することにより繊維が抜け落ちないためにお湯を汚さず、入浴中及び湯上り時に身体に密着しないため不快感が軽減され、湯上り時の水切れも良い。また、摩擦係数の高い繊維布である滑り止め部（２）を非吸水性繊維布本体（１）長辺上部の表裏両面に縫い付けることにより脱落しにくくなる。さらに、着用の方法が身体に巻きつけるという単純な方法であるために着脱も容易である。
【実施例１】
【０００７】      本発明を図３に基づいて説明する。非吸水性繊維布本体（１）を身体に巻きつけることにより前面部を二重にし、外側になった滑り止め部（２）の端の部分を折り返し、内側に差し込む。
【図面の簡単な説明】
【０００８】
【図１】  本発明の表面図である。
【図２】  本発明の裏面図である。
【図３】  本発明の使用状態を示す立体図である。
【符号の説明】
【０００９】  １  非吸水性繊維布本体
２  滑り止め部
【図１】
2005279216.tif 000003
【図２】
2005279216.tif 000004
【図３】
2005279216.tif 000005
(57)【要約】【課題】  本発明は、縦長で不安定なゴム長靴等の乾燥、及びゴム長靴等とスニーカー等の乾燥が兼用できて、それが容易に行える用具を提供する事にある。【解決手段】  ゴム長靴等は逆さにして足首部を上方から輪（１）に通して吊るす方式と足首部のかかと側を横方向からＵ字形（３）に挟んで吊るす方法がある。挟む方式では胴付長靴等の左右一体の物も容易に乾燥できる。ゴム長靴等は足のサイズ大・小に比べて足首の太さは、さほど差は無いので広範囲の靴サイズに対応できる。又、輪（１）やＵ字形（３）に連結部材（４）を下方向に伸ばして吊り具（２）に取り付ける方式はゴム長靴・スニーカー兼用形である。スニーカーは逆さにして輪（１）やＵ字形（３）に履かせて使用する。【選択図】  図３
2005279249.tif 000002
【特許請求の範囲】
【請求項１】
楕円形の輪（１）を並列に配し、吊り具（２）を取り付けた、靴類乾燥用具。
【請求項２】
楕円形の輪（１）を並列に配し、輪（１）より下方向に連結部材（４）を伸ばしたのち、吊り具（２）を取り付けた靴類乾燥用具。
靴類乾燥用具。
【請求項３】
請求項１・２の輪（１）に替えて、輪（１）の一部を欠いたＵ字形（３）とした靴類乾燥用具。
【請求項４】
請求項１・２の輪（１）と請求項３のＵ字形（３）をそれぞれ直列に配した靴類乾燥用具。
【発明の詳細な説明】
【技術分野】
【０００１】  本発明はゴム長靴・スニーカー等の乾燥に関するものである。
【発明の開示】
【発明が解決しようとする課題】
【０００２】  本発明は縦長で不安定な形であるゴム長靴等の内部の水を、素速く排出して乾燥する事と、更にスニーカー等の乾燥も容易に兼用で行える用具を提供する事にある。
【課題を解決するための手段】
【０００３】  請求項１に関しては、ゴム長靴等を逆さに保持する楕円形の輪（１）を並列に配し、吊り具（２）を取り付けたものである。【０００４】  請求項２に関しては、楕円形の輪（１）を並列に配し、輪（１）より下方向に連結部材（４）を伸ばしたのち、吊り具（２）と接続するものであり、それによりスニーカー等も逆さに保持できる。【０００５】  請求項３に関しては、上記２項目の中の輪（１）に替えて、輪（１）の一部を欠いたＵ字形（３）としたものである。それにゴム長靴等をかかと側から足首部を挟んで逆さで保持する。【０００６】  請求項４に関しては、楕円形の輪（１）とＵ字形（３）を直列に配したものである。複数個の連結等の各種応用の範囲が拡大する
【発明の効果】
【０００７】  本発明を使用する事により、ゴム長靴・スニーカー等、共に逆さに吊るす事で水切れが良く、乾燥時間が短縮する。【０００８】  逆さに吊るす事でゴム長靴等は、雨天時に屋外でも乾燥が進む。【０００９】  ゴム長靴等を足首で挟む方式では胴付き長靴等、左右一体となった物も容易に乾燥が可能である。【００１０】  ゴム長靴等は足のサイズ大・小に比べて足首の太さは、さほど差は無いので広範囲の靴サイズに対応できる。【００１１】  スニーカー等は逆さにして靴の内部を輪等で支えるので靴の歪みや、靴紐の負担が少なく、形くずれ等が起こりにくい。【００１２】  本発明を複数個連結する事によって、靴の保管にも使える。
【発明を実施するための最良の形態】
【００１３】  以下発明の実施の形態を図１〜４に基づいて説明する。ゴム長靴等は逆さにして足首部を上方から輪（１）に通して吊るす方法と足首部のかかと側を横方向からＵ字形（３）に挟んで吊るす方法がある。【００１４】  別の実施の形態を図３・４に基づいて説明する。スニーカー等は逆さにして輪（１）やＵ字形（３）に履かせて吊るす。
【図面の簡単な説明】
【００１５】
【図１】本発明の実施の形態を示す斜視図である。
【図２】別の実施の形態を示す斜視図である。
【図３】更に別の実施の形態を示す斜視図である。
【図４】更に別の実施の形態を示す斜視図である。
【図５】楕円形の輪（１）を直列に配したものの平面図
【図６】Ｕ字形（３）を直列に配したものの平面図
【符号の説明】
１  靴を保持する楕円形の輪
２  吊り具
３  靴を保持するＵ字形
４  靴を保持する輪・Ｕ字形より下方向に伸ばした連結部材
５  ゴム長靴
６  スニーカー
【図１】
2005279249.tif 000003
【図２】
2005279249.tif 000004
【図３】
2005279249.tif 000005
【図４】
2005279249.tif 000006
【図５】
2005279249.tif 000007
【図６】
2005279249.tif 000008